(57)【特許請求の範囲】
【請求項１】
所定の箇所に取り付け可能で、かつ、被保持物のセットが可能な受入部を有する本体と、この本体に対してヒンジで連結された蓋体とからなり、本体の受入部に被保持物をセットした後、この受入部を蓋体で閉ざして相互の係合爪を係合させることにより、その状態に保持する形式の保持具であって、
蓋体はその係合爪が形成されている嵌合腕を有し、本体は蓋体の嵌合腕を受け入れ可能な通路構造の嵌合部を有し、この嵌合部の両側壁に対して弾性的な撓み可能となっている嵌合片の内側に本体の係合爪が形成され、嵌合片の外側に解除部材が形成され、この解除部材と嵌合部の側壁の前面に設定されている位置決め部との間に取り外し工具を差し込むことで、本体と蓋体との係合爪の係合が解除される方向へ嵌合片を撓ませるように構成されている保持具。
【請求項２】
請求項１記載の保持具であって、
本体における解除部材の内面がテーパ面になっており、このテーパ面に対して嵌合部の位置決め部と解除部材との間に差し込まれる取り外し工具が接触することにより、本体と蓋体との係合爪の係合が解除される方向へ嵌合片を撓ませるように設定されている保持具。
【発明の詳細な説明】
【０００１】
【発明の属する技術分野】
本発明は、コルゲートチューブなどの被保持物を保持して車両のボデーなどに取り付けるための保持具に関する。
【０００２】
【従来の技術】
図１１，１２に従来の保持具が断面図で示されている。これらの図面で示すように保持具の本体６０と蓋体７０とはヒンジ７２によって連結されている。この本体６０の受入部６２にコルゲートチューブ５０がセットされ、蓋体７０によって受入部６２が閉ざされている。このとき、本体６０の嵌合部６６に蓋体７０の嵌合腕７６が入り込んでおり、図１１で示すように嵌合部６６の係合爪６９と嵌合腕７６の係合爪７８とが互いに係合してその状態に保持されている。この状態において本体６０の係止脚６４を、図１２で示すようにボデー５４の取付孔に挿入することにより、保持具がボデー５４に取り付けられる。
【０００３】
前記保持具からコルゲートチューブ５０を取り外す必要が生じた場合には、本体６０の嵌合部６６において前記係合爪６９を備えた嵌合片６８を図１２で示すようにマイナスドライバーなどの取り外し工具５２によって弾性的に撓ませ、両係合爪６９，７８の係合を解除する。これにより、蓋体７０を開放して本体６０の受入部６２からコルゲートチューブ５０を取り外すことができる。
【０００４】
【発明が解決しようとする課題】
しかしながら前記の取り外し工具５２は前記嵌合片６８に対してその下方からしか差し込むことができない。このため例えば図１２で示すボデー５４の形状によっては取り外し工具５２を下方から差し込むことが困難であったり、あるいは全く不可能であったりする場合がある。
【０００５】
請求項１記載の発明の目的は、任意の方向から取り外し工具を差し込んで係合爪の係合を解除可能とし、ある特定の方向からの工具の差し込みが困難な場合でも容易に対処できるようにすることである。
【０００６】
請求項２記載の発明の目的は、取り外し工具を差し込むだけで、係合爪の係合を簡単に解除可能とすることである。
【０００７】
【課題を解決するための手段】
請求項１記載の発明は、所定の箇所に取り付け可能で、かつ、被保持物のセットが可能な受入部を有する本体と、この本体に対してヒンジで連結された蓋体とからなり、本体の受入部に被保持物をセットした後、この受入部を蓋体で閉ざして相互の係合爪を係合させることにより、その状態に保持する形式の保持具であって、蓋体はその係合爪が形成されている嵌合腕を有し、本体は蓋体の嵌合腕を受け入れ可能な通路構造の嵌合部を有し、この嵌合部の両側壁に対して弾性的な撓み可能となっている嵌合片の内側に本体の係合爪が形成され、嵌合片の外側に解除部材が形成され、この解除部材と嵌合部の側壁の前面に設定されている位置決め部との間に取り外し工具を差し込むことで、本体と蓋体との係合爪の係合が解除される方向へ嵌合片を撓ませるように構成されている。
【０００８】
これにより、前記本体と蓋体との相互の係合爪の係合を解除するには、前記嵌合部の位置決め部と解除部材との間に対して任意の方向から取り外し工具を差し込むことで両係合爪の係合を解除できる。したがって例えば本体を取り付ける箇所の形状などにより、ある特定の方向からの工具の差し込みが困難な場合でも係合爪の係合を簡単に解除できる。
【０００９】
請求項２記載の発明は、請求項１記載の保持具であって、本体における解除部材の内面がテーパ面になっており、このテーパ面に対して嵌合部の位置決め部と解除部材との間に差し込まれる取り外し工具が接触することにより、本体と蓋体との係合爪の係合が解除される方向へ嵌合片を撓ませるように設定されている。
これにより、取り外し工具を嵌合部の位置決め部と解除部材との間に差し込むだけで、嵌合片を撓ませて係合爪の係合を解除できる。
【００１０】
【発明の実施の形態】
以下、本発明の実施の形態を説明する。
図１はコルゲートチューブ用保持具を表した正面図、図２は図１の上面図、図３は同じく図１の底面図、図４（Ａ）（Ｂ）は左右の側面図、図５は保持具の外観斜視図である。これらの図面で示すように保持具は、その本体１０と蓋体３０とが薄肉のヒンジ３２によって連結されており、これらは樹脂成形によって一体に成形されている。
【００１１】
前記本体１０の上面側はほぼ半円弧状をした受入部１２となっており、この受入部１２の両縁にはリブ１４がそれぞれ形成されている。また本体１０における受入部１２の反対側の面（底面）には係止脚１６が形成されていて、この係止脚１６を後で説明するように自動車のボデー５４にあけられている取付孔に挿入することで保持具をボデー５４に取り付けることができる。さらに本体１０の側部には嵌合部２０が形成されている。
【００１２】
一方、前記蓋体３０は前記ヒンジ３２の側において本体１０の受入部１２を閉ざすことが可能な押え部３４を備え、この押え部３４の両縁にはリブ３６がそれぞれ形成されている。この押え部３４に続く蓋体３０の先端部は、本体１０の嵌合部２０に挿入可能な嵌合腕３８となっている。
【００１３】
図６にコルゲートチューブ５０を保持した状態の保持具が断面によって示されている。この図面からも明らかなように本体１０の前記嵌合部２０は、蓋体３０の嵌合腕３８を受け入れ可能な通路構造になっていて、その前面側の嵌合片２４は両側壁２２に対して弾性的な撓み可能となっている。この嵌合片２４の内側には係合爪２６が形成されており、蓋体３０における嵌合腕３８の先端部には嵌合片２４の係合爪２６と互いに係合する係合爪３９が形成されている。
【００１４】
前記嵌合片２４の外側には解除部材２８が形成されている。この解除部材２８は、嵌合片２４の前面からまっすぐに前方へ延びてから下方へほぼ直角に折れ曲がった係止部分２８ａを有している。この係止部分２８ａの内面は前記側壁２２の前面よりも僅かに前方に位置している。また係止部分２８ａの内面は、図３から明らかなようにテーパ面２９となっている。
【００１５】
前記保持具の使用にあたっては、蓋体３０を開放した状態で本体１０の受入部１２にコルゲートチューブ５０をセットした後、蓋体３０の嵌合腕３８を本体１０の嵌合部２０に挿入する。これにより、本体１０の受入部１２と蓋体３０の押え部３４とによってコルゲートチューブ５０の外周が把持され、かつ嵌合腕３８の係合爪３９が嵌合部２０の係合爪２６と係合してその状態に保持される。
【００１６】
このとき、受入部１２のリブ１４及び押え部３４のリブ３６がコルゲートチューブ５０の外周の環状溝に係合しており、保持具に対してコルゲートチューブ５０がその長さ方向に関してずれ止めされている。この状態において図７で示すように本体１０の係止脚１６をボデー５４の取付孔に挿入することにより、保持具を通じてコルゲートチューブ５０がボデー５４に止められたこととなる。
【００１７】
前記保持具からコルゲートチューブ５０を取り外す必要が生じたときには、図７及び図９で示すマイナスドライバーなどの工具５２を使用し、その先端を前記解除部材２８の係止部分２８ａに対してそのテーパ面２９に沿って差し込む。このときに工具５２の先端部は嵌合部２０における側壁２２の前面で受けられてその位置が決められるため、結果的に係止部分２８ａがテーパ面２９によって外方向へ押される。これにより、図７で明らかなように嵌合部２０の嵌合片２４が弾性的に撓んでその係合爪２６が蓋体３０の係合爪３９から外れる。したがって蓋体３０を開放でき、本体１０の受入部１２からコルゲートチューブ５０を取り外すことができる。
【００１８】
このように前記の両係合爪２６，３９の係合を解除するには、前記２０の解除部材２８の横方向であれば任意の方向から側壁２２と係止部材２８ａとの間に工具５２の先端を差し込むだけでよく、この解除部材２８の係止部分２８ａを工具５２でこじ開けるような操作は不要となる。したがって前記ボデー５４の形状などにより、保持具の前面下方からの工具の差し込みが困難な場合や工具５２をこじるように操作するスペースがない場合でも両係合爪２６，３９の係合を容易に解除できる。なお前記のように嵌合部２０における側壁２２の前面が、工具５２を位置決めするするための「位置決め部」として機能する。
【００１９】
図１０では前記解除部材２８の係止部分２８ａに形成されているテーパ面２９を山形に形成している。これにより、工具５２の先端を解除部材２８に対して左右いずれの方向から差し込んでも、前記嵌合片２４を弾性的に撓ませて両係合爪２６，３９の係合を解除することができて便利である。
【００２０】
なお前記解除部材２８にテーパ面２９を形成することは理想的であるが、嵌合部２０における側壁２２の前面を工具５２の「位置決め部」として利用していることから、テーパ面２９がなくても側壁２２と係止部分２８ａとの間に工具５２の先端を充分に差し込むことで、嵌合片２４を撓ませることは可能である。
【図面の簡単な説明】
【図１】コルゲートチューブ用保持具を表した正面図。
【図２】図１の上面図。
【図３】同じく図１の底面図。
【図４】同じく図１の左右の側面図。
【図５】保持具の外観斜視図。
【図６】コルゲートチューブを保持した状態の保持具を表した断面図。
【図７】係合爪の係合解除時の保持具を表した断面図。
【図８】係合爪の係合解除作業を表した斜視図。
【図９】係合爪の係合解除時の保持具を表した底面図。
【図１０】別構造の保持具を図９との対応によって表した底面図。
【図１１】従来の保持具を表した断面図。
【図１２】従来の保持具における係合爪の係合解除状態を表した断面図。
【符号の説明】
１０  本体
１２  受入部
２０  嵌合部
２４  嵌合片
２６  係合爪
２８  解除部材
２９  テーパ面
３０  蓋体
３２  ヒンジ
３９  係合爪
５０  コルゲートチューブ（被保持物）
５２  取り外し工具
【図１】
0003952225.tif 000002
【図２】
0003952225.tif 000003
【図３】
0003952225.tif 000004
【図４】
0003952225.tif 000005
【図５】
0003952225.tif 000006
【図６】
0003952225.tif 000007
【図７】
0003952225.tif 000008
【図８】
0003952225.tif 000009
【図９】
0003952225.tif 000010
【図１０】
0003952225.tif 000011
【図１１】
0003952225.tif 000012
【図１２】
0003952225.tif 000013